【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
単相又は多相交流電源と負荷との間に双極性固体スイッチ素子設置されており、位相調整回路で双極性固体スイッチ素子のオン位相角及びオフ位相角の二者に対して同期調整を行うことによって、正弦波交流電源の電圧がオン位相角及びオフ位相角の同期調整回路の変化範囲内において、対称波の出力を維持し、単相または多相交流電源の出力電圧を調整し、負荷に対して安定した電圧を供給し、または負荷の出力電流を調整し、（ａ）双方向ツェナーダイオード、又は、（ｂ）ツェナーダイオード（ＺＤ１０１、ＺＤ１０２）のうちの一つが逆極性直列接続されており、設定回路の双極性駆動電圧信号出力端と双極性固体スイッチ素子（１０００）の双極性駆動電圧信号入力端との間に接続されており、交流限流回路装置（Ｚ１０）、双極性固体スイッチ素子（１０００）、及び、双極性オン位相角とオフ位相角の設定回路（ＰＤ２００）を備え、
交流限流回路装置（Ｚ１０）は、抵抗性インピーダンス素子、誘導性インピーダンス素子、容量性インピーダンス素子の中の一種または一種以上を直列接続、並列接続、または直列・並列接続することによって構成され、直列負荷（Ｌ１０１）及び双極性固体スイッチ素子（１０００）と直列に接続しており、直列接続されている交流限流回路装置（Ｚ１０）、直列負荷（Ｌ１０１）及び双極性固体スイッチ素子（１０００）が交流電源に並列に接続しており、
双極性固体スイッチ素子（１０００）は、下記の一種または一種以上の固体スイッチ素子により構成され、
（１）電気伝導度による位相角を制御可能な双方向サイリスタ素子によって構成され、双極性オン位相角とオフ位相角の設定回路（ＰＤ２００）を設置することにより、双極性の駆動電圧信号を出力し、双極性固体スイッチ素子（１０００）に対して、オン位相角及びオフ位相角を制御し、
（２）少なくとも２個の電界効果パワーデバイスによって構成され、双極性オン位相角とオフ位相角の設定回路（ＰＤ２００）を設置することにより、双極性の駆動電圧信号を出力し、双極性固体スイッチ素子（１０００）に対して、オン位相角及びオフ位相角を制御し、
双極性オン位相角とオフ位相角の設定回路（ＰＤ２００）は、電子回路素子によって構成され、交流電源電圧を入力し、交流限流回路装置（Ｚ１０）を通過する電流値、負荷（Ｌ１０１）の端電圧値に基づいて、ツェナーダイオード（ＺＤ１０１、ＺＤ１０２）を経て、双極性固体スイッチ素子（１０００）のオン位相角及びオフ位相角を制御するのに用いられる双極性の駆動電圧信号を出力し、
ツェナーダイオード（ＺＤ１０１、ＺＤ１０２）は、双極性オン位相角とオフ位相角の設定回路（ＰＤ２００）と双極性固体スイッチ素子（１０００）との間に逆極性に直列接続されており、
交流電気エネルギーが印加される抵抗、抵抗を含む誘導性負荷、抵抗を含む容量性負荷、または直列に接続されている抵抗を含む誘導性負荷及び容量性負荷を制御することを特徴とする同期調整回路。
【請求項２】
双極性固体スイッチ素子（１０００）は、双方向サイリスタにより構成されていることを特徴とする請求項１に記載の同期調整回路。
【請求項３】
双極性固体スイッチ素子（１０００）は、少なくとも二つの電界効果パワーデバイスによって構成されており、電界効果パワーデバイスがＭＯＳＦＥＴやＩＧＢＴにより構成されている双極性モジュールにより構成されていることを特徴とする請求項１に記載の同期調整回路。
【請求項４】
交流限流回路装置（Ｚ１０）は、交流電源の出力電流値を測定し、双極性固体スイッチ素子（１０００）に電流を出力する調整回路に接続されていることを特徴とする請求項１に記載の同期調整回路。
【請求項５】
双極性オン位相角とオフ位相角の設定回路（ＰＤ２００）は、双極性固体スイッチ素子（１０００）の駆動方式を調整するのに用いられ、
（１）電気エネルギー信号を直接に出力することで双極性固体スイッチ素子（１０００）を駆動する方式、
（２）ホトカプラにより絶縁隔離を行い、電気エネルギー信号を出力することにより、双極性固体スイッチ素子（１０００）を駆動する方式、
及び、
（３）パルストランスにより絶縁隔離を行い、電気エネルギー信号を出力することにより、双極性固体スイッチ素子（１０００）を駆動する方式、
のうち一種以上の方式によって構成されることを特徴とする請求項１に記載の同期調整回路。
【請求項６】
単相又は多相交流電源と負荷との間に双極性固体スイッチ素子が設置されており、位相調整回路で双極性固体スイッチ素子のオン位相角及びオフ位相角の二者に対して同期調整を行うことによって、正弦波交流電源の電圧がオン位相角及びオフ位相角の同期調整回路の変化範囲内において、対称波の出力を維持し、単相または多相交流電源の出力電圧を調整し、負荷に対して安定した電圧を供給し、または負荷の出力電流を調整し、
交流限流回路装置（Ｚ１０）、双極性固体スイッチ素子（１０００）、単極性オン位相角とオフ位相角の調整回路（ＰＤ１０１）、及び、単極性オン位相角とオフ位相角の調整回路（ＰＤ１０２）を備え、
交流限流回路装置（Ｚ１０）は、抵抗性インピーダンス素子、誘導性インピーダンス素子、容量性インピーダンス素子の中の一種または一種以上を直列接続、並列接続、または直列・並列接続することによって構成され、直列負荷（Ｌ１０１）及び双極性固体スイッチ素子（１０００）と直列に接続しており、
双極性固体スイッチ素子（１０００）は、単極性固体スイッチ素子（１００１）と単極性固体スイッチ素子（１００２）を逆極性に並列に接続することによって構成され、単極性固体スイッチ素子（１００１）と単極性固体スイッチ素子（１００２）は下記の一種または一種以上の固体スイッチ素子によって構成され、
（１）少なくとも２個のシリコンを制御する整流器ＳＣＲを逆極性に並列に接続することによって構成されており、単極性オン位相角とオフ位相角の調整回路（ＰＤ１０１）及び単極性オン位相角とオフ位相角の調整回路（ＰＤ１０２）の制御により、別々に異極性の第一駆動電圧信号及び第二駆動信号を出力することによって、シリコンを制御する整流器ＳＣＲにより構成されている単極性固体スイッチ素子（１００１）及び単極性固体スイッチ素子（１００２）に対して、オン位相角及びオフ位相角を制御し、
（２）少なくとも２個の電界効果パワーデバイスを逆極性に並列接続することによって構成されており、単極性オン位相角とオフ位相角の調整回路（ＰＤ１０１）及び単極性オン位相角とオフ位相角の調整回路（ＰＤ１０２）の制御により、別々に異極性の第一駆動電圧信号及び第二駆動信号を出力し、少なくとも２個の電界効果パワーデバイスにより構成されている単極性固体スイッチ素子（１００１）及び単極性固体スイッチ素子（１００２）に対して、オン位相角及びオフ位相角を制御し、
単極性オン位相角とオフ位相角の調整回路（ＰＤ１０１）は、電子回路素子によって構成され、ダイオード（ＣＲ１０１）と順極性に直列に接続することによって、第一極性の交流電圧を入力し、第一調整回路により、交流限流回路装置（Ｚ１０）を通過する電流値と負荷（Ｌ１０１）の端電圧値を参考し、第一の双極性の駆動電圧信号を出力し、単極性固体スイッチ素子（１００１）のオン位相角及びオフ位相角を制御し、
単極性オン位相角とオフ位相角の調整回路（ＰＤ１０２）は、電子回路素子によって構成され、ダイオード（ＣＲ１０２）と順極性に直列に接続することによって、第二極性の交流電圧を入力し、第二調整回路により、交流限流回路装置（Ｚ１０）を通過する電流値と負荷（Ｌ１０１）の端電圧値を参考し、第二の双極性の駆動電圧信号を出力し、単極性固体スイッチ素子（１００２）のオン位相角及びオフ位相角を制御し、
交流電気エネルギーが印加される抵抗、抵抗を含む誘導性負荷、抵抗を含む容量性負荷、または直列に接続されている抵抗を含む誘導性負荷及び容量性負荷を制御することを特徴とする同期調整回路。
【請求項７】
逆極性に直列接続されているツェナーダイオード（ＺＤ１０３）、及び、ツェナーダイオード（ＺＤ１０４）をさらに備え、
単極性固体スイッチ素子（１００１）の調整回路は、設定回路であり、
ツェナーダイオード（ＺＤ１０３）は、単極性オン位相角とオフ位相角の設定回路（ＰＤ１０３）の駆動電圧信号の出力端と単極性固体スイッチ素子（１００１）の駆動電圧信号の入力端との間に直列に接続されており、
ツェナーダイオード（ＺＤ１０４）は、単極性オン位相角とオフ位相角の設定回路（ＰＤ１０４）の駆動電圧信号の出力端と単極性固体スイッチ素子（１００２）の駆動電圧信号の入力端との間に直列に接続されていることを特徴とする請求項６に記載の同期調整回路。
【請求項８】
単極性オン位相角とオフ位相角の設定回路（ＰＤ１０３）、及び、単極性オン位相角とオフ位相角の設定回路（ＰＤ１０４）により出力される第一駆動電圧信号、及び、第二駆動電圧信号は、
（１）直接電気エネルギー信号を出力することにより、単極性固体スイッチ素子（１００１）及び単極性固体スイッチ素子（１００２）を駆動する方式、
（２）ホトカプラにより絶縁隔離を行い、電気エネルギー信号を出力することにより、単極性固体スイッチ素子（１００１）及び単極性固体スイッチ素子（１００２）を駆動する方式、
及び、
（３）パルストランスにより絶縁隔離を行い、電気エネルギー信号を出力することにより、単極性固体スイッチ素子（１００１）及び単極性固体スイッチ素子（１００２）を駆動する方式、
のうち一種以上の方式によって構成されることを特徴とする請求項７に記載の同期調整回路。
【請求項９】
交流限流回路装置（Ｚ１０）は、交流電源の出力電流値を測定し、単極性固体スイッチ素子（１００１、１００２）に電流を出力する調整回路に接続されていることを特徴とする請求項６に記載の同期調整回路。
【請求項１０】
単極性オン位相角とオフ位相角の調整回路（ＰＤ１０１）、及び、単極性オン位相角とオフ位相角の調整回路（ＰＤ１０２）により出力される第一駆動電圧信号、及び、第二駆動電圧信号は、
（１）直接電気エネルギー信号を出力することにより、単極性固体スイッチ素子（１００１）及び単極性固体スイッチ素子（１００２）を駆動する方式、
（２）ホトカプラにより絶縁隔離を行い、電気エネルギー信号を出力することにより、単極性固体スイッチ素子（１００１）及び単極性固体スイッチ素子（１００２）を駆動する方式、
及び、
（３）パルストランスにより絶縁隔離を行い、電気エネルギー信号を出力することにより、単極性固体スイッチ素子（１００１）及び単極性固体スイッチ素子（１００２）を駆動する方式、
のうち一種以上の方式によって構成されることを特徴とする請求項６に記載の同期調整回路。
【請求項１１】
単相又は多相交流電源と負荷との間に単極性固体スイッチ素子（１００１）が設置されており、位相調整回路で単極性固体スイッチ素子のオン位相角及びオフ位相角の二者に対して同期調整を行うことによって、正弦波交流電源の電圧がオン位相角及びオフ位相角の同期調整回路の変化範囲内において、対称波の出力を維持し、単相または多相交流電源の出力電圧を調整し、負荷に対して安定した電圧を供給し、または負荷の出力電流を調整し、
交流限流回路装置（Ｚ１０）、単極性固体スイッチ素子（１００１）、単極性オン位相角とオフ位相角の調整回路（ＰＤ１０１）、ブリッジ整流装置（ＢＲ１０１）、及び、ブリッジ整流装置（ＢＲ１０２）を備え、
交流限流回路装置（Ｚ１０）は、抵抗性インピーダンス素子、誘導性インピーダンス素子、容量性インピーダンス素子の中の一種または一種以上を直列接続、並列接続、または直列・並列接続することによって構成され、交流電源とブリッジ整流装置（ＢＲ１０１）の交流入力端との間に直列に接続し、
単極性固体スイッチ素子（１００１）は、下記の一種または一種以上の固体スイッチ素子によって構成され、
（１）電気伝導度による位相角を制御可能なシリコンを制御する整流器ＳＣＲによって構成され、単極性オン位相角とオフ位相角の調整回路（ＰＤ１０１）の制御により、双極性の駆動電圧信号を出力し、シリコンを制御する整流器ＳＣＲに対して、オン位相角及びオフ位相角を制御し、
（２）電界効果パワーデバイスによって構成され、単極性オン位相角とオフ位相角の調整回路（ＰＤ１０１）の制御により、双極性の駆動電圧信号を出力し、電界効果パワーデバイスに対して、オン位相角及びオフ位相角を制御し、
単極性オン位相角とオフ位相角の調整回路（ＰＤ１０１）は、電子回路素子によって構成され、ブリッジ整流装置（ＢＲ１０２）の直流出力端に並列に接続し、調整回路により交流限流回路装置（Ｚ１０）を通過する電流値と負荷（Ｌ１０１）の端電圧値を参考し、双極性の駆動電圧信号を出力することにより、単極性固体スイッチ素子（１００１）のオン位相角及びオフ位相角を制御し、
ブリッジ整流装置（ＢＲ１０１）は、少なくとも４個の整流ダイオードによって構成され、交流電源の入力端と交流限流回路装置（Ｚ１０）を直列に接続した後交流電源へ接続し、直流電源の正極及び負極の出力端を備え、単極性固体スイッチ素子（１００１）及び直列に接続する負荷（Ｌ１０１）へ伝送し、
ブリッジ整流装置（ＢＲ１０２）は、少なくとも４個の整流ダイオードによって構成され、交流電源の入力端が交流限流回路装置（Ｚ１０）に直列接続した後交流電源に接続し、直流電源の正極、及び、負極の出力端を備え、単極性オン位相角とオフ位相角の調整回路（ＰＤ１０１）へ伝送し、更に駆動電圧信号を単極性固体スイッチ素子（１００１）へ出力し、
交流電気エネルギーが印加される抵抗、抵抗を含む誘導性負荷、抵抗を含む容量性負荷、または直列に接続されている抵抗を含む誘導性負荷及び容量性負荷を制御することを特徴とする同期調整回路。
【請求項１２】
単極性オン位相角とオフ位相角の調整回路（ＰＤ１０１）により出力される駆動電圧信号は、
（１）直接電気エネルギー信号を出力することにより、単極性固体スイッチ素子（１００１）を駆動する方式、
（２）ホトカプラにより絶縁隔離を行い、電気エネルギー信号を出力することにより、単極性固体スイッチ素子（１００１）を駆動する方式、
及び、
（３）パルストランスにより絶縁隔離を行い、電気エネルギー信号を出力することにより、単極性固体スイッチ素子（１００１）を駆動する方式、
のうち一種以上の方式によって構成されることを特徴とする請求項１１に記載の同期調整回路。
【請求項１３】
交流限流回路装置（Ｚ１０）は、交流電源の出力電流値を測定し、単極性固体スイッチ素子（１００１）に電流を出力する調整回路に接続されていることを特徴とする請求項１１に記載の同期調整回路。
【請求項１４】
単相又は多相交流電源と負荷との間に単極性固体スイッチ素子（１００１）が設置されており、位相調整回路で単極性固体スイッチ素子のオン位相角及びオフ位相角の二者に対して同期調整を行うことによって、正弦波交流電源の電圧がオン位相角及びオフ位相角の同期調整回路の変化範囲内において、対称波の出力を維持し、単相または多相交流電源の出力電圧を調整し、負荷に対して安定した電圧を供給し、または負荷の出力電流を調整し、
交流限流回路装置（Ｚ１０）、単極性固体スイッチ素子（１００１）、単極性オン位相角とオフ位相角の調整回路（ＰＤ１０１）、ブリッジ整流装置（ＢＲ１０１）、及び、ツェナーダイオード（ＺＤ１０３）を備え、
交流限流回路装置（Ｚ１０）は、抵抗性インピーダンス素子、誘導性インピーダンス素子、容量性インピーダンス素子の中の一種または一種以上を直列接続、並列接続、または直列・並列接続することによって構成され、交流限流回路装置（Ｚ１０）の第一端が交流電源の一端へ通じ、負荷（Ｌ１０１）が交流限流回路装置（Ｚ１０）の第二端とブリッジ整流装置（ＢＲ１０１）の交流入力端との間に直列に接続し、ブリッジ整流装置（ＢＲ１０１）の第二交流入力端は交流電源の第二端へ通じ、
単極性固体スイッチ素子（１００１）は、下記の一種または一種以上の固体スイッチ素子によって構成され、
（１）電気伝導度による位相角が制御可能なシリコンを制御する整流器ＳＣＲによって構成され、単極性オン位相角とオフ位相角の設定回路（ＰＤ１０３）の制御により、双極性の駆動電圧信号を出力し、ツェナーダイオード（ＺＤ１０３）を経て、シリコンを制御する整流器ＳＣＲに対して、オン位相角及びオフ位相角を制御し、
（２）電界効果パワーデバイスによって構成され、単極性オン位相角とオフ位相角の設定回路（ＰＤ１０３）の制御により、双極性の駆動電圧信号を出力し、ツェナーダイオード（ＺＤ１０３）を経て、電界効果パワーデバイスに対して、オン位相角及びオフ位相角を制御し、
単極性オン位相角とオフ位相角の調整回路（ＰＤ１０１）は、電子回路素子によって構成され、ブリッジ整流装置（ＢＲ１０１）の直流出力端に並列に接続し、調整回路により、交流限流回路装置（Ｚ１０）を通過する電流値と負荷（Ｌ１０１）の端電圧値に基づいて、双極性の駆動電圧信号を出力し、単極性固体スイッチ素子（１００１）のオン位相角及びオフ位相角を制御し、
ブリッジ整流装置（ＢＲ１０１）は、少なくとも４個の整流ダイオードによって構成され、直流電源の正極、及び、負極の出力端を備え、単極性固体スイッチ素子（１００１）及び単極性オン位相角とオフ位相角の設定回路（ＰＤ１０３）へ伝送し、
ツェナーダイオード（ＺＤ１０３）は、単極性オン位相角とオフ位相角の設定回路（ＰＤ１０３）の駆動電圧信号の出力端と単極性固体スイッチ素子（１００１）の駆動電圧信号の入力端との間に直列に接続し、
交流電気エネルギーが印加される抵抗、抵抗を含む誘導性負荷、抵抗を含む容量性負荷、または直列に接続されている抵抗を含む誘導性負荷及び容量性負荷を制御することを特徴とする同期調整回路。
【請求項１５】
単極性オン位相角とオフ位相角の設定回路（ＰＤ１０３）により出力される駆動電圧信号は、
（１）直接電気エネルギー信号を出力することにより、単極性固体スイッチ素子（１００１）を駆動する方式、
（２）ホトカプラにより絶縁隔離を行い、電気エネルギー信号を出力することにより、単極性固体スイッチ素子（１００１）を駆動する方式、
及び、
（３）パルストランスにより絶縁隔離を行い、電気エネルギー信号を出力することにより、単極性固体スイッチ素子（１００１）を駆動する方式、
のうち一種以上の方式によって構成されることを特徴とする請求項１４に記載の同期調整回路。